(57)【要約】【課題】  物品に取り付けられたＲＦＩＤタグからのＲＦＩＤの不正な読み取り行為を抑制する。【解決手段】  買い物袋１の収納部１０は電波遮断素材で構成され、収納部１０の上部には密封手段を備え、側部１１の表面に偽ＲＦＩＤタグ２０とアクチュエータ部３０が取り付けられている。偽ＲＦＩＤタグ２０はＲＦＩＤの読み取り電波を受信すると、物品毎に取り付けられたＲＦＩＤタグのＲＦＩＤとは無関係な偽ＲＦＩＤを送信する。また、アクチュエータ部３０はＲＦＩＤの読み取り電波を受信すると、アラームにより警告音を出力し、又は、ＬＥＤを点灯させ、ＲＦＩＤの不正な読み取り行為があったことをユーザに通知する。【選択図】  図１
2006323484.tif 000002
【特許請求の範囲】
【請求項１】
物品を収納する収納部と、
ＲＦＩＤの読み取り電波を受信したときに、予め設定された又はランダムに生成されたＲＦＩＤを送信するタグと、
を具備することを特徴とする物品収納装置。
【請求項２】
物品を収納する収納部と、
前記収納部の表面に設けられＲＦＩＤの読み取り電波を受信する電波受信部と、
前記電波を受信するときに発生した電力を用いて前記電波を受信したことをユーザへ通知する電波受信通知部と、
を具備することを特徴とする物品収納装置。
【請求項３】
物品を収納する収納部と、
ＲＦＩＤの読み取り電波を受信したときに、予め設定された又はランダムに生成されたＲＦＩＤを送信するタグと、
前記収納部の表面に設けられＲＦＩＤの読み取り電波を受信する電波受信部と、
前記電波を受信するときに発生した電力を用いて前記電波を受信したことをユーザへ通知する電波受信通知部と、
を具備することを特徴とする物品収納装置。
【請求項４】
ＲＦＩＤの読み取り電波を受信したときに、ＲＦＩＤタグから送信される応答電波をタグリーダが正常に受信又は解析することを妨害する装置をさらに具備することを特徴とする請求項２に記載の物品収納装置。
【請求項５】
前記収納部は、電波遮断素材で構成されていることを特徴とする請求項１から４のいずれかの項に記載の物品収納装置。
【発明の詳細な説明】
【技術分野】
【０００１】
本発明は、物品に取り付けられたＲＦＩＤ（Radio Frequency IDentification）タグからのＲＦＩＤの不正な読み取り行為を抑制する物品収納装置に関する。
【背景技術】
【０００２】
従来、物品を識別するため、識別情報であるＲＦＩＤが記録され、電波を使ってタグリーダと情報を送受信するＲＦＩＤタグが物品に取り付けられている。タグリーダから所定の距離内にこのようにＲＦＩＤタグが取り付けられた物品が置かれると、タグリーダはＲＦＩＤタグからＲＦＩＤを受信することができる。これにより、例えば商品の代金の計算、在庫の管理等を簡単に行うことができる。
なお、従来技術として非特許文献１が知られている。
【非特許文献１】TOPPAN FORMS、「MM CHIP」、［online］、［平成１７年２月２日検索］、インターネット＜ＵＲＬ：http://rfid.toppan-f.co.jp/tech/mm/c_mm.html＞
【発明の開示】
【発明が解決しようとする課題】
【０００３】
しかし、上記のＲＦＩＤタグは、通信可能な距離内であれば第三者が不正にＲＦＩＤを読み出すことも可能であった。
本発明は、上記の事情を考慮してなされたものであり、その目的は、ＲＦＩＤの不正な読み取り行為を抑制する物品収納装置を提供することである。
【課題を解決するための手段】
【０００４】
本発明は上記の課題を解決するためになされたもので、請求項１に記載の発明は、物品を収納する収納部と、ＲＦＩＤの読み取り電波を受信したときに、予め設定された又はランダムに生成されたＲＦＩＤを送信するタグと、を具備することを特徴とする物品収納装置である。
【０００５】
請求項２に記載の発明は、物品を収納する収納部と、前記収納部の表面に設けられＲＦＩＤの読み取り電波を受信する電波受信部と、前記電波を受信するときに発生した電力を用いて前記電波を受信したことをユーザへ通知する電波受信通知部と、を具備することを特徴とする物品収納装置である。
【０００６】
請求項３に記載の発明は、物品を収納する収納部と、ＲＦＩＤの読み取り電波を受信したときに、予め設定された又はランダムに生成されたＲＦＩＤを送信するタグと、前記収納部の表面に設けられＲＦＩＤの読み取り電波を受信する電波受信部と、前記電波を受信するときに発生した電力を用いて前記電波を受信したことをユーザへ通知する電波受信通知部と、を具備することを特徴とする物品収納装置である。
【０００７】
請求項４に記載の発明は、請求項２に記載の物品収納装置において、ＲＦＩＤの読み取り電波を受信したときに、ＲＦＩＤタグから送信される応答電波をタグリーダが正常に受信又は解析することを妨害する装置をさらに具備することを特徴とする。
【０００８】
請求項５に記載の発明は、請求項１から４のいずれかの項に記載の物品収納装置において、前記収納部は、電波遮断素材で構成されていることを特徴とする。
【発明の効果】
【０００９】
本発明によれば、ＲＦＩＤの不正な読み取り行為を抑制することができる。また、ユーザがＲＦＩＤの不正な読み取り行為の存在を認識することができる。これらにより、防犯に寄与し、ユーザの自衛意識を高めることができる。
【発明を実施するための最良の形態】
【００１０】
以下、図１を参照し、本発明の第１の実施形態について買い物袋を例に説明する。図１はこの実施形態における買い物袋１の構成を示す図である。
買い物袋１は、上部から中に物品を収納することができる収納部１０と、収納部１０の上部両側に取っ手部１３及び１４を有する物品収納装置である。
この収納部１０は、側部１１及び底部１２からなる。これらは電波を反射、吸収等することにより遮断する電波遮断素材により構成されている。収納部１０の上部は物品の出し入れができるように開いているが、収納部１０の中に収納された物品に取り付けられたＲＦＩＤタグが外部からの電波に触れることがないように、ファスナー等の密封手段を設けることが好ましい。
【００１１】
収納部１０の側部１１の表面には、偽ＲＦＩＤタグ２０及びアクチュエータ部３０が取り付けられている。
偽ＲＦＩＤタグ２０は、従来のＲＦＩＤタグと同様にアンテナ部、電源整流部、記憶部、送受信部から構成されているが、この記憶部は物品毎に取り付けられるＲＦＩＤタグのＲＦＩＤとは無関係に予め定められた偽ＲＦＩＤを記憶し、この送受信部はタグリーダに対してこの偽ＲＦＩＤを送信する点が異なる。この偽ＲＦＩＤは、予め定めておくのではなく、例えば、タグリーダから読み取り電波を受信する毎にランダムに生成してもよい。また、ＲＦＩＤタグとタグリーダの間で用いられる電波の周波数には、１３．５６ＭＨｚ、４３３ＭＨｚ、ＵＨＦ帯（８６８ＭＨｚ、９１５ＭＨｚ、９５０ＭＨｚ）、２．４５ＧＨｚ等の様々なものが存在するので、この偽ＲＦＩＤタグ２０はマルチバンドに対応した回路構成とすることが好ましい。
【００１２】
アクチュエータ部３０は図２に示すように、アンテナ部３１、電源整流部３２、アクチュエータ３３から構成される。アンテナ部３１はタグリーダから電波を受信する電波受信部である。電源整流部３２は、電磁誘導等によりアンテナ部３１において発生した電流を直流に変換し、アクチュエータ３３へ供給する。ＲＦＩＤタグとタグリーダの間で用いられる様々な電波の周波数に対応するため、アンテナ部３１及び電源整流部３２はマルチバンドに対応した回路構成とすることが好ましい。
アクチュエータ３３は、アラーム、ＬＥＤ等を用いて、ＲＦＩＤの読み取り電波を受信したことをユーザが五感で認識できるように通知する電波受信通知部である。このアクチュエータ３３は、アンテナ部３１が受信した電波により電源整流部３２において一定以上の電力が供給されると警告音を出力し、又は、ＬＥＤを点灯する。
【００１３】
次に、図３を参照して、ユーザが店舗で買った物を持ち帰るときを例に買い物袋１の動作を説明する。ユーザは、デパート等の店舗へ行き、ＲＦＩＤ５０が取り付けられた宝石５１とＲＦＩＤ６０が取り付けられた時計６１を精算カウンターに持って行く。ＲＦＩＤタグは精算カウンターにおいて代金の計算に用いられる。ユーザは代金を支払った後、ＲＦＩＤ５０が取り付けられた宝石５１とＲＦＩＤ６０が取り付けられた時計６１を買い物袋１に収納し、収納部１０（図１）の上部に設けられた密封手段により密封して持ち帰る。ユーザが帰宅する途中で第三者によるＲＦＩＤの不正な読み取り行為があった場合、買い物袋１は次のように動作する。
【００１４】
第三者が物品に取り付けられたＲＦＩＤタグからＲＦＩＤを受信しようとして、タグリーダ７０により不正な読み取り電波を送信する（ステップＳ１０１）。宝石５１と時計６１は電波遮断素材で構成された収納部１０（図１）に密封して収納されているため、この電波はＲＦＩＤタグ５０、ＲＦＩＤタグ６０には受信されない。買い物袋１の表面に取り付けられた偽ＲＦＩＤタグ２０がこの電波を受信すると、この偽ＲＦＩＤタグ２０に予め設定された又はランダムに生成された偽ＲＦＩＤをタグリーダ７０へ送信する（ステップＳ１０２）。これにより、第三者に対しては正常にＲＦＩＤを受信したかのように見せることができる。しかし、このＲＦＩＤは物品に取り付けられたＲＦＩＤタグのＲＦＩＤとは無関係であるため、第三者はこのＲＦＩＤから有益な情報を得ることはできない。
【００１５】
また、アクチュエータ部３０はアラームにより警告音を出力し、又は、ＬＥＤを点灯させ、ユーザへＲＦＩＤの不正な読み取り行為があったことを通知する（ステップＳ１０３）。このような場合、ユーザはその場で買い物袋１からの物品の出し入れを行わないことで、買い物袋１に収納した物品に取り付けられたＲＦＩＤタグからのＲＦＩＤの不正な読み取りを防止することができる。
【００１６】
なお、上記の実施形態においては、買い物袋１の収納部１０は電波遮断素材で構成され、収納部１０の表面には偽ＲＦＩＤタグ２０とアクチュエータ部３０の両方が取り付けられた構成を説明したが、買い物袋１の収納部１０は電波遮断素材で構成せず、収納部１０に偽ＲＦＩＤタグ２０を取り付け、アクチュエータ部３０は取り付けない構成としてもよい。この場合、第三者はタグリーダ７０により、収納部１０に収納された宝石５１と時計６１のそれぞれに取り付けられたＲＦＩＤタグ５０、ＲＦＩＤタグ６０のＲＦＩＤを読み取ることができるが、同時に偽ＲＦＩＤタグ２０の偽ＲＦＩＤも読み取ることとなる。このため、読み取ったＲＦＩＤの全てがユーザの購入した物品に対応するとは限らず、第三者にとっては情報の価値が減少するので、ＲＦＩＤの不正な読み取りを行う意味が薄れ、このような行為が抑制される。
また、買い物袋１の収納部１０は電波遮断素材で構成せず、収納部１０の表面にアクチュエータ部３０を取り付け、偽ＲＦＩＤタグ２０は取り付けない構成としてもよい。この場合、第三者はタグリーダ７０により、収納部１０に収納された宝石５１と時計６１のそれぞれに取り付けられたＲＦＩＤタグ５０、ＲＦＩＤタグ６０のＲＦＩＤを読み取ることができるが、ユーザには不正な読み取り行為があったことが通知される。これによりユーザはＲＦＩＤの不正な読み取り行為の存在を意識し、警戒心を起こして周囲の様子に注意するので、第三者はユーザに気付かれずにＲＦＩＤの不正な読み取りを行うことが困難となり、このような行為が抑制される。
【００１７】
次に、図４を参照して、本発明の第２の実施形態について説明する。図４はこの実施形態における買い物袋２の構成を示す図である。買い物袋２は、上述した第１の実施形態における買い物袋１の偽ＲＦＩＤタグ２０に代えて、妨害タグ４０を有する点が異なり、その他は買い物袋１と同様に構成されている。
妨害タグ４０は、ＲＦＩＤの読み取り電波を受信したときに、ＲＦＩＤタグから送信される応答電波をタグリーダが正常に受信又は解析することを妨害する装置である。一例として、タグリーダからＲＦＩＤの読み取り電波を受信したときにタグリーダが受信しきれない量、すなわち、タグリーダが受信可能な量を上回る量の応答電波を送信するブロッカータグと呼ばれる技術を用いることができる。このブロッカータグがＲＦＩＤタグの近くに取り付けられていると、ＲＦＩＤタグからＲＦＩＤが送信されてもそのＲＦＩＤの読み取りが妨害され、判別が不可能となる。これにより、買い物袋２に収納された物品に取り付けられたＲＦＩＤタグからのＲＦＩＤの不正な読み取りを妨害する。妨害タグ４０から送信される応答電波には、例えば、物品毎に取り付けられるＲＦＩＤタグのＲＦＩＤとは無関係に予め定められ又はランダムに生成された偽ＲＦＩＤを含める。
なお、買い物袋１と同様に、収納部１０は電波遮断素材で構成してもよいし、収納部１０の上部に密封手段を設けてもよいが、買い物袋２においては必須ではない。
【００１８】
次に、図５を参照して、ユーザがデパート等の店舗で買った物を持ち帰るときを例に買い物袋２の動作を説明する。ユーザは、デパート等の店舗へ行き、ＲＦＩＤ５０が取り付けられた宝石５１とＲＦＩＤ６０が取り付けられた時計６１を購入し、買い物袋２に収納して持ち帰る。ここでは、買い物袋２の収納部１０は電波遮断素材で構成されていないものとし、また、収納部１０の上部に密封手段は設けられていないものとする。ユーザが帰宅する途中で第三者によるＲＦＩＤタグの不正な読み取り行為があった場合、買い物袋２は次のように動作する。
【００１９】
第三者が物品に取り付けられたＲＦＩＤタグからＲＦＩＤを受信しようとして、タグリーダ７０により不正な読み取り電波を送信する（ステップＳ２０１）。宝石５１と時計６１は買い物袋２に収納されているが、この電波が買い物袋２の収納部１０を透過し又は収納部１０の上部から進入し、ＲＦＩＤタグ５０及びＲＦＩＤタグ６０がこれを受信した場合、これらはＲＦＩＤを送信する。これと同時に、買い物袋２の表面に取り付けられた妨害タグ４０がこの電波を受信するとタグリーダ７０が受信しきれない量の応答電波を送信する（ステップＳ２０２）。これにより、タグリーダ７０がＲＦＩＤタグ５０及びＲＦＩＤタグ６０から送信されたＲＦＩＤの受信を妨害することができる。また、第１の実施形態と同様に、アクチュエータ部３０はアラームにより警告音を出力し、又は、ＬＥＤを点灯させ、ユーザへ不正な読み取り行為があったことを通知する（ステップＳ２０３）。
【００２０】
なお、第１の実施形態における買い物袋１、第２の実施形態における買い物袋２は、店舗側が用意し、店内で買い物をするユーザに使用させてもよい。ユーザは清算するまでの間、購入したい物品を買い物袋１又は買い物袋２に入れて店内を持ち歩くことにより、店舗側の意図しないＲＦＩＤの不正な読み取りを防止し、これを検知することができる。また、ＲＦＩＤの不正な読み取りが検知されたことをユーザが店舗側に知らせることで、店舗側も不正な読み取り行為を迅速に把握できる。
この場合、買い物袋１における偽ＲＦＩＤタグ２０、又は、買い物袋２における妨害タグ４０は、様々な周波数帯に対応したものである必要はなく、店舗内で物品に取り付けているＲＦＩＤタグと同じ周波数帯で動作するものでもよい。
【産業上の利用可能性】
【００２１】
本発明は、ＲＦＩＤタグが取り付けられた物品を収納する物品収納装置に用いられる。
【図面の簡単な説明】
【００２２】
【図１】本発明の第１の実施形態による買い物袋１の構成を示すブロック図である。
【図２】偽ＲＦＩＤタグ２０及びアクチュエータ部３０の構成を示すブロック図である。
【図３】買い物袋１の動作を示す図である。
【図４】本発明の第２の実施形態による買い物袋２の構成を示すブロック図である。
【図５】買い物袋２の動作を示す図である。
【符号の説明】
【００２３】
１、２…買い物袋
１０…収納部
１１…側部
１２…底部
１３、１４…取っ手部
２０…偽ＲＦＩＤタグ
３０…アクチュエータ部
３１…アンテナ部
３２…電源整流部
３３…アクチュエータ
４０…妨害タグ
５０、６０…ＲＦＩＤタグ
５１…指輪
６１…時計
７０…タグリーダ
【図１】
2006323484.tif 000003
【図２】
2006323484.tif 000004
【図３】
2006323484.tif 000005
【図４】
2006323484.tif 000006
【図５】
2006323484.tif 000007